(57)【特許請求の範囲】
【請求項１】
引戸１側にバネ部材１８を介して上下動可能に取付けられた係合手段３と、この係合手段に係脱する反転式ラッチ４を含む施解錠機構Ｘを内蔵し、かつ、戸枠側に横設された錠ケース７とから成る引戸用電気錠に於いて、前記錠ケース７に前記ラッチ４と対向するように駆動源３０を横設し、また、錠ケース７の駆動源３０とラッチ４との間に位置するフロント板２６の開口６０に臨むように引戸全閉信号検出用スイッチを内装し、一方、前記係合手段には、前記スイッチをＯＮ、ＯＦＦする作動ローラを設け、この作動ローラは、引戸を全閉状態にする時に、前記ラッチを摺接通過し、かつ、前記開口内に入り込んで前記スイッチに直接接触し、一方、係合手段がラッチを反転させる引戸の開放時に、前記開口内から抜け出てスイッチから離れることを特徴とする引戸用電気錠。
【請求項２】
請求項１に於いて、係合手段は、ケース状のデッドボルト１２と、周端部がデッドボルト１２の上端開口部から突出するように該デッドボルトに軸支された作動ローラ１３と、デッドボルト１２の下端部に一体的に設けられたストッパー用垂直壁１４と、このストッパー用垂直壁１４の一端下縁部に形成したアーム用受け部１５とから成ることを特徴とする引戸用電気錠。
【請求項３】
請求項１に於いて、引戸全閉信号検出用スイッチをＯＮ、ＯＦＦするための作動ローラを備える係合手段は、引戸側に所要間隔を有して複数個設けられていることを特徴とする引戸用電気錠。
【請求項４】
請求項１に於いて、引戸全閉信号検出用のスイッチをＯＮ、ＯＦＦするための作動ローラを備える係合手段は、支持箱に互いに位置ズレ状態に２個設けられ、一方、前記スイッチ５Ｃ、５Ｄは、これらの係合手段の位置に対応して錠ケースに内装されていることを特徴とする引戸用電気錠。
【請求項５】
請求項１に於いて、作動ローラ１３に代えてデッドボルト１２の上端部をフロント板２６の開口６０に入込むことができる山形状に形成していることを特徴とする引戸用電気錠。
【発明の詳細な説明】
【０００１】
【発明の属する技術分野】
本発明は引戸用電気錠に関し、特に引戸が完全に閉じているか否かを検出するスイッチ機構を備える引戸用電気錠に関する。
【０００２】
【従来の技術】
引戸用電気錠は、例えば実開昭５１−１８８９３号公報に一例が開示されている。この種の電気錠は、普通一般に錠ケースに内装されたラッチ用施解錠機構の施錠又は解錠状態を検出するための第１スイッチ（機構）が設けられている。
【０００３】
ところで、特別老人ホームや各種施設に設置される引戸用電気錠は、前記第１スイッチ（機構）の他に、引戸側の係合手段（凹所状係合金具、デッドボルト等）と摺接し、かつ、前記錠ケース内に後退動する作動体等を介して引戸の開閉状態（特に閉扉状態）を検出するためのスイッチ又は第２スイッチ機構を設けるのが望ましい。その際、引戸用電気錠の錠ケースは、普通一般に、戸枠の上枠（或いは下枠）内に横設されるため、望ましくは高さ寸法が短かく、またできるだけコンパクト化されるべきである。また引戸全閉信号検出用スイッチに対し、スイッチをＯＮ、ＯＦＦするための作動部材をシンプル化すると共に、作動部材の接触がスイッチの故障原因にならないようにすることも望まれている。
【０００４】
そこで、出願人は、現在出願未公開の引戸用電気錠の一例を提案し、該引戸用電気錠に閉扉信号検出用の前記第２スイッチ機構を設けた。この第２スイッチ機構は、引戸側の係合手段と摺接するや否や錠ケース内にそのまま後退動する作動体を備え、これにより引戸の開閉状態を検出するためのスイッチが「オン（ＯＮ）、オフ（ＯＦＦ）」する。
【０００５】
しかしながら、この提案中の引戸用電気錠は、作動体が引戸側の係合手段と摺接すると、錠ケース内の高さ方向にそのまま後退動するので、錠ケースの高さ寸法を短くすることができないと言う問題点があった。またスイッチをＯＮ、ＯＦＦするための作動部材がシンプルでないと言う問題点もあった。
【０００６】
【発明が解決しようとする課題】
本発明は以上のような問題点に鑑み、第１の目的は、引戸用電気錠の錠ケースの高さ寸法を短くすることができることである。第２の目的は、スイッチをＯＮ、ＯＦＦするための作動部材をシンプル化（或いは部品点数を少なくする）ことができることである。第３の目的は、有効或いは確実な閉扉信号を取り出すことができることである。第４の目的は、引戸をスムースに閉じることができると共に、作動部材の接触がスイッチの故障原因にならないようにすることができるである。
【０００７】
【課題を解決するための手段】
本発明の引戸用電気錠は、引戸１側にバネ部材１８を介して上下動可能に取付けられた係合手段３と、この係合手段に係脱する反転式ラッチ４を含む施解錠機構Ｘを内蔵し、かつ、戸枠側に横設された錠ケース７とから成る引戸用電気錠に於いて、前記錠ケース７に前記ラッチ４と対向するように駆動源３０を横設し、また、錠ケース７の駆動源３０とラッチ４との間に位置するフロント板２６の開口６０に臨むように引戸全閉信号検出用スイッチを内装し、一方、前記係合手段には、前記スイッチをＯＮ、ＯＦＦする作動ローラを設け、この作動ローラは、引戸を全閉状態にする時に、前記ラッチを摺接通過し、かつ、前記開口内に入り込んで前記スイッチに直接接触し、一方、係合手段がラッチを反転させる引戸の開放時に、前記開口内から抜け出てスイッチから離れることを特徴とする。
【０００８】
上記構成に於いて、スイッチをＯＮ、ＯＦＦするための作動ローラを備える係合手段は、引戸側に所要間隔を有して複数個設けられていることを特徴とする。ここで「所要間隔」とは、普通一般に人が通り抜けることができない通風空間用隙間を言う。
【０００９】
【発明の実施の形態】
以下、図面に示す本発明の実施の形態を、引戸１の上端部或いは上框２にバネ部材を介して上下動可能に取り付けられた係合手段３と、この係合手段３に係脱するラッチ４を含む電気錠の施解錠機構Ｘや引戸全閉信号検出用スイッチ５を内蔵し、かつ、望ましくは戸枠の上枠６内に横設された錠ケース７との関係で説明する。
【００１０】
まず係合手段３について説明する。この係合手段３は、図１、図２、図５で示すように引戸１の上框２に横設された支持箱１１に所要間隔を有して複数（２）個設けられている。
【００１１】
しかして、係合手段３は、図５で示すように本実施例ではケース状のデッドボルト１２と、周端部がデッドボルト１２の上端開口部から突出するように該デッドボルトに軸支された作動ローラ１３と、デッドボルト１２の下端部に一体的に設けられたやや幅広のストッパー用垂直壁１４と、このストッパー用垂直壁１４の一端下縁部に形成した水平方向のアーム用受け部１５とから成る。そして、係合手段３は、デッドボルト１２の底壁部に設けた嵌合突起１６並びに支持箱１１の下壁内面に設けた支持突起１７にそれぞれ支持されたバネ部材１８を介し、常時支持箱１１から飛び出る方向に付勢されている。
【００１２】
ところで、支持箱１１の中央部には、手動式駆動手段（サムターン又はキーシリンダー）２０が設けられ、また支持箱１１内の中央部寄りの部位には、前記手動式駆動手段２０を中心（基準）に左右一対の指状同期アーム２１、２１がそれぞれ配設され、これらの指状同期アーム２１、２１の指部２１ａ、２１ａは、左右の係合手段３、３のアーム用受け部１５、１５にそれぞれ支持されている。したがって、左右の係合手段３、３は、指状同期アーム２１、２１の同期的な回転量に基づき、各バネ部材１８、１８のバネ力に抗して支持箱１１内に同期的に後退する。
【００１３】
次に錠ケース７について説明する。錠ケース７は長箱状に形成され、例えば図１で示すように戸枠の上枠６内に横設される。錠ケース７には特に符号を付けないが、前壁や後壁にはそれぞれ対向する複数個の案内部としての垂直ガイド長孔や軸孔が適宜に形成されている。また錠ケース７には、普通一般に錠ケース７の一部を形成する長板状の取付け板やフロント板２６が固着具２７を介して設けられている。
【００１４】
次に施解錠機構Ｘを構成する各部材について説明する。図３、図４で示すよう
に、３０は駆動源の一例としてのソレノイドである。このソレノイド３０は錠ケース７内に反転式ラッチ４と対向するように横設され、かつ、図示しない接続コードを介して制御装置に接続している。３１はソレノイド３０の作動杆で、この作動杆３１は水平方向に伸縮動するが、本実施例では通電時に収縮し、一方、非通電時は伸張する。そして、作動杆３１の突出先端部には駆動ピン３３が作動杆と交差する水平方向に突出している。
【００１５】
３５は作動杆３１の伸縮動により回動するように錠ケース７に軸２８を介して軸支された回動ロック部材である。回動ロック部材３５は、前記駆動ピン３３を介し、作動杆３１が収縮するとラッチ４の回転を阻止するロック方向（時計方向）に、一方、作動杆３１が伸張するとラッチ４の回転を許容するロック解除方向（反時計方向）にそれぞれ回転する。この回動ロック部材３５は、図４を基準にすると、基本的には前後一対の対向軸受板３６と、この前後一対の対向軸受板３６を作動杆３１の上方の位置で連結する連結板３７とから成る。
【００１６】
しかして、前記対向軸受板３６の下端部は作動杆３１と外嵌合するように下方に延び、かつ、駆動ピン３３と係合する逆Ｕ字状り切欠部３８を有する。また対向軸受板３６の上端部の左側には連結板の一部である突起部３９が形成され、この突起部３９は錠ケース７の上壁の内壁面に固定的に配設された第１スイッチ（機構）４０とプッシュ式に接触可能である。この第１スイッチ（機構）４０は、ラッチ用施解錠機構Ｘの施錠又は解錠状態を検出するための部材であり、ソレノイド３０の作動杆３１の伸縮動により回動ロック部材３５が回動すると、施解錠機構Ｘの施解錠信号を検出する。
【００１７】
また対向軸受板３６の右上端部寄りの部位にはやや幅広のロックアーム部４１が突出形成され、このロックアーム部４１には錠ケース７内に位置するラッチ４の垂直当接面５１と当接する水平ローラ４２が軸支されている。そして、回動ロック部材３５は軸２８に巻装されたロック解除用バネ４４により、常時ロック解除の方向（反時計方向）に付勢されている。
【００１８】
次に錠ケース７に軸支されたラッチ４について説明する。ラッチ４は、前述したようにロックアーム部４１側に垂直当接面５１を有し、ラッチ４自体に設けられた（或いは錠ケースに横架された）軸５３を介して反転可能である。ラッチ４は引戸側の係合手段３に対してはストッパーとしの機能を発揮するが、引戸１を開放する際に「反転する」と言う作用がある。このラッチ４の回転動を利用して引戸１が完全に閉じたか否かをの信号を検出することも可能であるが、本実施例ではラッチ４のこのような作用とは関係なく、引戸側の係合手段３に設けた作動ローラ１３により引戸１の扉閉信号を検出している。なお、５２はラッチ４を錠ケース７から突出する方向に付勢するラッチバネである。
【００１９】
次に引戸全閉信号検出用スイッチ５について説明する。引戸全閉信号検出用スイッチ５は、例えば可動接片５ａを有する少なくとも１個のマイクロスイッチが使用され、図示しない制御手段と電気的に接続している。
【００２０】
このスイッチ５は、図３を基準にすると、錠ケース７の開口（ソレノイド３０とラッチ４との間に位置するフロント板２６の開口を意味する。）６０に臨むように錠ケース７に内装され、作動ローラ１３が該開口６０に入込んでいない時、前記可動接片５ａはやや斜めの状態に成る。
【００２１】
上記構成に於て、まずソレノイド３０が非通電時の状態の場合に於いて、ソレノイド３０の作動杆３１は回動ロック部材３５をロック解除の方向へ付勢するバネ４４のバネ力により伸張する。すなわち、回動ロック部材３５がバネ４４のバネ力により軸２８を支点に反時計方向に回転すると、作動杆３１が伸張すると共に、回動ロック部材３５の水平ローラ（軸）４２がラッチ４の垂直当接面５１から外れ、これによりラッチ４は回動ロック部材３５から開放される。
【００２２】
そこで、図６で示すように引戸１を開放方向Ａに移動させると、ラッチ４は右側係合手段３（便宜上、これを第１の係合手段とする。）のデッドボルト１２に押され、その軸５３を中心に反時計方向に反転する。この時、係合手段３の作動ローラ１３はフロント板２６の開口６０から転動しながら抜け出るが、作動ローラ１３の後退動するや否やスイッチ５の可動接片５ａから離れる。そこで、スイッチ５により、引戸１が開放した状態の信号を検出することができる。
【００２３】
そして、引戸１の左側係合手段３（便宜上、これを第２の係合手段とする。）が上枠６の内壁面やフロント板２６を転動しながら前記開口６０に入込むと、第２の係合手段３の作動ローラ１３がスイッチ５の可動接片５ａに接触する。したがって、これら引戸側の複数個の係合手段３、３と錠ケース７に内装された少なくとも１つのスイッチ５との組合わせから成る両方の検出信号を利用し、引戸１の状態（例えば半開状態）を把握することができる。
【００２４】
一方、図７で示すように引戸１を（半）開放状態から全閉方向Ｂへ移動させると、まず第１の係合手段３の作動ローラ１３がラッチ４のテーパー面５４に転動しながら当接し、これにより第１の係合手段３は、バネ部材１８のバネ力に抗して支持箱１１内に後退する。この場合作動ローラ１３はラッチ４に対して回転するので、部材間の摩擦抵抗が少なく、引戸１をスムースに閉めることができる。前述したように本実施例ではラッチ４は反転するのみで、錠ケース７内へと後退動しない。したがって、作動ローラ１３がラッチ４のテーパーを拾うと、第１の係合手段３の方が支持箱１１内に後退する。
【００２５】
そして、第１の係合手段３は、作動ローラ１３がラッチ４の下方を通過するや否や該作動ローラ１３がフロント板２６の開口６０に入込むので、バネ部材１８のバネ力により復帰し、図３で示すように作動ローラ１３がスイッチ５の可動接片５ａに直接接触する。これにより、例えば引戸１の全閉状態を把握することができる。このように引戸１が完全に閉まると、その後にソレノイド３０の作動杆３１が収縮し、ラッチ４はロックされる。
【００２６】
【実施例】
発明の実施の形態で説明した引戸側の係合手段３は、ケース状のデッドボルト１２と、周端部がデッドボルト１２の上端開口部から突出するように該デッドボルトに軸支された作動ローラ１３と、デッドボルト１２の下端部に一体的に設けられたやや幅広のストッパー用垂直壁１４と、このストッパー用垂直壁１４の一端下縁部に形成した水平方向のアーム用受け部１５とから成る。
【００２７】
しかしながら、係合手段３は必ずしも作動ローラ１３を構成要件とする必要はなく、例えば作動ローラ１３に代えてデッドボルト１２の上端部をフロント板２６の開口６０に入込むことができる山形状に形成しても良い。
【００２８】
すなわち、錠ケース内のスイッチをＯＮ、ＯＦＦする作動体は、この実施例の場合には上端部が山形状のデッドボルトそのものであり、このデッドボルトは引戸を全閉状態にする時に、前記ラッチのテーパー面５４を摺接通過し、かつ、錠ケース７の開口６０内に入り込んでスイッチ５の可動接片５ａに接触し、一方、係合手段がラッチ４を反転させる引戸の開放時に、前記開口６０内からスライドしながら抜け出てスイッチ５から離れる。したがって、この実施例に於いては、部材間の摩擦抵抗があるものの、本発明の目的をある程度達成することができる。
【００２９】
ところで、スイッチをＯＮ、ＯＦＦするための作動ローラを備える係合手段は、図８及び図９で示すように引戸側に所要間隔を有して複数個設けても良い。
【００３０】
しかして、図８は支持箱１１Ａの上面板６２から昇降動する第１の係合手段３Ａと第２の係合手段３Ｂとが互いに位置ズレ状態に設けられ、これらの係合手段３Ａ、３Ｂと接触する錠ケース７Ａに内装された引戸全閉信号検出用（特に半開状態並びに全閉状態検出用）のスイッチ５Ａ、５Ｂが、錠ケース７Ａの開口６０Ａに望むように併設されている。
【００３１】
このような構成に於いては、引戸の全閉時には、第１の係合手段３Ａの作動ローラ１３Ａが開口６０Ａに入り込んで第１のスイッチ５Ａの可動接片５ａに接触し、また引戸の半開状態の時には、第２の係合手段３Ｂの作動ローラ１３Ｂが同様に前記開口６０Ａに入り込んで第２のスイッチ５Ｂの可動接片５ｂに接触する。
【００３２】
したがって、これら引戸側の複数個の係合手段３Ａ、３Ｂと錠ケース７Ａに内装された複数個のスイッチ５Ａ，５Ｂとの組合わせから成る両方の検出信号を利用し、引戸の状態（例えば全閉状態、半開状態等）を把握することができる。
【００３３】
また図９は支持箱１１Ｂの上面板６２Ｂから昇降動する第１の係合手段３Ｃと第２の係合手段３Ｄとが、同一のライン上又は互いに位置ズレ状態に設けられ、一方、引戸全閉信号検出用（特に全閉状態検出用）のスイッチ５Ｃ、５Ｄが、前記第１の係合手段３Ｃ並びに第２の係合手段３Ｄの位置に対応するように錠ケース７Ｂに内装されている。なお、この実施例の場合は、前記錠ケース７Ｂはやや長箱状に形成され、また第１の係合手段３Ｃ用の開口６０Ｂの他に、第２の係合手段３Ｄ用の開口６０Ｃも設けられている。
【００３４】
したがって、このように構成しても、これら引戸側の複数個の係合手段３Ｃ、３Ｄと錠ケース７Ｂに内装された複数個のスイッチ５Ｃ，５Ｄとの組合わせから成る両方の検出信号を利用し、引戸の状態（例えば全閉状態、半開状態等）を把握することができる。
【００３５】
【発明の効果】
以上の説明から明らかなように、本発明にあっては次に列挙するような効果がある。
（１）引戸用電気錠の錠ケースの高さ寸法を短くすることができる。
（２）引戸が開閉状態（特に扉閉状態）を検出することができる。したがって、特別養護老人ホームや病院に於ける管理上の問題点を解消することができる。
（３）スイッチ５をＯＮ、ＯＦＦするための作動部材をシンプル化（或いは部品点数を少なく）することができる。
（４）係合手段が複数個の実施例は、引戸用電気錠に於いて、有効或いは確実な閉扉信号を取り出すことができる。
（５）引戸をスムースに閉じることができると共に、作動部材の接触がスイッチの故障原因にならないようにすることができる。但し、請求項５記載の発明を除く。
【図面の簡単な説明】
図１ないし図７は本発明の実施の形態を説明するため各説明図。図８及び図９は本発明の主要部の他の実施例を示す各説明図。
【図１】引戸を完全に閉じた状態に於いて、正面から見た場合の概略説明図。
【図２】上枠側の錠ケースと、引戸側の支持箱との関係を示す分解斜視図。
【図３】一部概略断面説明図。
【図４】要部（駆動源、回動ロック部材）の分解斜視図。
【図５】支持箱に設けられた主要部（係合手段）の概略説明図。
【図６】引戸が開放方向Ａに移動した場合に於ける作用の説明図。
【図７】引戸が全閉方向Ｂに移動した場合に於ける作用の説明図。
【図８】主要部（複数個の係合手段とスイッチとの関係）の他の実施例を示す説明図。
【図９】同じく主要部（複数個の係合手段とスイッチとの関係）の他の実施例を示す説明図。
【符号の説明】
１…引戸、２…上框、３…係合手段、４…ラッチ、Ｘ…施解錠機構、５、５Ａ、５Ｂ、５Ｃ、５Ｄ…スイッチ（引戸全閉信号検出用）、５ａ、５ｂ…可動接片、７、７Ａ、７Ｂ…錠ケース、２６…フロント板、２７…固着具、２８…軸、１１…支持箱、１３…作動ローラ、１４…ストッパー用垂直壁、１５…受け部、１６…嵌合突起、１７…支持突起、１８…バネ部材、２０…手動式駆動手段、２１…同期アーム、２１ａ…同期アームの指部、３０…駆動源、３１…作動杆、３３…駆動ピン、３５…回動ロック部材、３６…対向軸受板、３７…連結板、３８…切欠部、３９…突起部、４１…ロックアーム部、４２…水平ローラ、５０…ラッチ、５１…垂直当接面、５２…ラッチバネ、６０、６０Ａ、６０Ｂ、６０Ｃ…開口、６２…上面板、Ａ…開放方向、Ｂ…全閉方向。
【図１】
0003955915.tif 000002
【図２】
0003955915.tif 000003
【図３】
0003955915.tif 000004
【図４】
0003955915.tif 000005
【図５】
0003955915.tif 000006
【図６】
0003955915.tif 000007
【図７】
0003955915.tif 000008
【図８】
0003955915.tif 000009
【図９】
0003955915.tif 000010